【手続補正書】
【提出日】平成24年5月29日(2012.5.29)
【手続補正１】
【補正対象書類名】特許請求の範囲
【補正対象項目名】全文
【補正方法】変更
【補正の内容】
【特許請求の範囲】
【請求項１】
油、水等の液体を含む含液スラッジをフィルタ体によって受持した状態で、圧縮空気により脱液して固形化する脱液・固形化方法であって、
前記フィルタ体を無数の通液孔を有する網状体で構成するとともに、この網状体の前記通液孔の目開き寸法を前記含液スラッジ中の濾過除去対象物質が通過し得る大きさに設定することにより、
前記圧縮空気により前記含液スラッジを脱液する脱液工程の初期段階において、前記含液スラッジ中の濾過除去対象物質が前記フィルタ体上に堆積して前記フィルタ体の上層フィルタ部を形成するようにした
ことを特徴とする含液スラッジの脱液・固形化方法。
【請求項２】
以下の（ａ）〜（ｄ）の工程を備えることを特徴とする請求項１に記載の含液スラッジの脱液・固形化方法。
（ａ）底部に前記フィルタ体を敷設してなる加圧室内に前記含液スラッジを充填する充填工程
（ｂ）前記含液スラッジを充填した加圧室内に圧縮空気を導入することにより、前記含液スラッジ中に圧縮空気を通気して脱液する脱液工程
（ｃ）前記脱液工程を終了した加圧室内に圧縮空気を追加導入することにより、前記脱液したスラッジを圧縮してブリケットに固形化する固形化工程
（ｄ）前記固形化したスラッジのブリケットを前記加圧室から排出する排出工程
【請求項３】
前記フィルタ体を構成する前記網状体の通液孔の目開き寸法は、前記含液スラッジ中の濾過除去対象物質が通過し得る大きさで、かつ、前記圧縮空気による脱液工程の初期段階において、前記含液スラッジ中の濾過除去対象物質が前記フィルタ体上に堆積し得る範囲内で可及的に小さく設定されている
ことを特徴とする請求項１または２に記載の含液スラッジの脱液・固形化方法。
【請求項４】
前記含液スラッジは、濾過除去対象物質として金属研削屑を含んだ研削スラッジである
ことを特徴とする請求項１に記載の含液スラッジの脱液・固形化方法。
【請求項５】
油、水等の液体を含む含液スラッジを圧縮空気により脱液して固形化する脱液・固形化装置であって、
底部にフィルタ体を敷設してなる密閉可能な加圧室と、
この加圧室内に含液スラッジを供給するスラッジ供給手段と、
前記加圧室の上部から加圧室内に圧縮空気を導入供給する圧縮空気供給手段とを備えてなり、
前記フィルタ体は、無数の通液孔を有する網状体で構成されるとともに、この網状体の前記通液孔の目開き寸法が、前記含液スラッジ中の濾過除去対象物質が通過し得る大きさに設定されてなり、
前記圧縮空気供給手段により加圧室内に導入される圧縮空気が前記含液スラッジを脱液する脱液工程の初期段階において、前記含液スラッジ中の濾過除去対象物質が前記フィルタ体上に堆積して前記フィルタ体の上層フィルタ部を形成するように構成されている
ことを特徴とする含液スラッジの脱液・固形化装置。
【請求項６】
前記加圧室の下側位置に、前記加圧室内において固形化された前記スラッジのブリケットを前記加圧室外へ排出するブリケット排出手段を備える
ことを特徴とする請求項５に記載の含液スラッジの脱液・固形化装置。
【請求項７】
前記圧縮空気供給手段、スラッジ供給手段およびブリケット排出手段を相互に連動して制御する制御手段を備え、
この制御手段は、請求項１または２に記載の含液スラッジの脱液・固形化方法を実施するように前記圧縮空気供給手段、スラッジ供給手段およびブリケット排出手段を制御する構成とされている
ことを特徴とする請求項６に記載の含液スラッジの脱液・固形化装置。
【請求項８】
前記加圧室内の状況を検出するセンサ手段として、前記加圧室内圧力を検出する圧力センサと、加圧室内の固形化されたスラッジのブリケットの高さを検出する高さセンサとを備え、
前記制御手段は、前記圧力センサにより、前記加圧室内圧力の所定値以下の低下が検出されると、前記脱液工程が終了し、前記高さセンサにより、前記ブリケットの所定以上の高さが検出されると、前記固形化工程が開始されるように、前記圧縮空気供給手段、スラッジ供給手段およびブリケット排出手段を制御する構成とされている
ことを特徴とする請求項７に記載の含液スラッジの脱液・固形化装置。
【請求項９】
前記フィルタ体を構成する前記網状体の通液孔の目開き寸法は、前記含液スラッジ中の濾過除去対象物質が通過し得る大きさで、かつ、前記圧縮空気による脱液工程の初期段階において、前記含液スラッジ中の濾過除去対象物質が前記フィルタ体上に堆積し得る範囲内で可及的に小さく設定されている
ことを特徴とする請求項５に記載の含液スラッジの脱液・固形化装置。
【請求項１０】
前記フィルタ体は、前記網状体を構成する薄板状のフィルタ部材と、このフィルタ部材を分離可能に載置保持する保持板とからなる積層構造とされている
ことを特徴とする請求項９に記載の含液スラッジの脱液・固形化装置。
【請求項１１】
前記フィルタ部材が金網であることを特徴とする請求項１０に記載の含液スラッジの脱液・固形化装置。
【請求項１２】
前記保持板は、圧縮空気による脱液工程において、圧縮空気によって生じる荷重を負担し得る強度を有するとともに、前記フィルタ部材により濾過されて落下する液体を抵抗なく通過させ得る開口面積を確保する多数の小孔が貫設されてなる
ことを特徴とする請求項１０に記載の含液スラッジの脱液・固形化装置。
【請求項１３】
前記加圧室は、円筒形状の筒状体の形態とされるとともに、その下部内側面が下方へ向けて拡開するテーパ面に形成されている
ことを特徴とする請求項５に記載の含液スラッジの脱液・固形化装置。
【請求項１４】
前記加圧室の底部は、開閉蓋により開閉可能に施蓋される構造とされるとともに、この開閉蓋の上端外周縁部位に、前記フィルタ体の外周縁が載置支持され、
前記開閉蓋の前記加圧室底部への施蓋により、前記フィルタ体の外周縁が前記開閉蓋と加圧室底部の外周縁により挟持状にかつ密封状に支持固定される
ことを特徴とする請求項１３に記載の含液スラッジの脱液・固形化装置。
【請求項１５】
前記ブリケット排出手段は、少なくとも、前記開閉蓋を開閉動作させる蓋開閉手段を備えてなり、
この蓋開閉手段による前記開閉蓋の開放動作により、前記加圧室内で固形化された前記スラッジのブリケットが加圧室外部下方へ排出される
ことを特徴とする請求項６に記載の含液スラッジの脱液・固形化装置。
【請求項１６】
前記ブリケット排出手段は、前記加圧室内で固形化された前記スラッジのブリケットを加圧室外部の排出位置へ下降させる昇降手段と、前記排出位置にある前記スラッジのブリケットを水平方向へ押圧排出する水平排出手段とを備えてなり、
前記昇降手段は、前記開閉蓋を開閉動作させる前記蓋開閉手段から構成されている
ことを特徴とする請求項６に記載の含液スラッジの脱液・固形化装置。
【請求項１７】
前記昇降手段は、前記加圧室の底部を開閉可能に施蓋する開閉蓋を支持するとともに、この開閉蓋上に、前記フィルタ体を介して、固形化された前記スラッジのブリケットが載置支持される構造とされ、
前記水平排出手段は、前記開閉蓋上に載置支持された前記スラッジのブリケットを押圧するブリケット排出用プッシャを支持するとともに、このブリケット排出用プッシャの上下端縁に、清掃用スクレーパがそれぞれ設けられ、
前記水平排出手段による前記ブリケット排出用プッシャの水平往復動作により、前記清掃用スクレーパが前記加圧室の底部の施蓋接合部分および前記フィルタ体上面をそれぞれ清掃するように構成されている
ことを特徴とする請求項１６に記載の含液スラッジの脱液・固形化装置。
【手続補正２】
【補正対象書類名】明細書
【補正対象項目名】００２５
【補正方法】削除
【補正の内容】
【手続補正３】
【補正対象書類名】明細書
【補正対象項目名】００２６
【補正方法】変更
【補正の内容】
【００２６】
（９）上記加圧室の底部は、開閉蓋により開閉可能に施蓋される構造とされるとともに、この開閉蓋の上端外周縁部位に、上記フィルタ体の外周縁が載置支持され、上記開閉蓋の上記加圧室底部への施蓋により、上記フィルタ体の外周縁が上記開閉蓋と加圧室底部の外周縁により挟持状にかつ密封状に支持固定される。
【手続補正４】
【補正対象書類名】明細書
【補正対象項目名】００２７
【補正方法】変更
【補正の内容】
【００２７】
（１０）上記ブリケット排出手段は、少なくとも、上記開閉蓋を開閉動作させる蓋開閉手段を備えてなり、この蓋開閉手段による上記開閉蓋の開放動作により、上記加圧室内で固形化された上記スラッジのブリケットが加圧室外部下方へ排出される。
【手続補正５】
【補正対象書類名】明細書
【補正対象項目名】００２８
【補正方法】変更
【補正の内容】
【００２８】
（１１）上記ブリケット排出手段は、上記加圧室内で固形化された上記スラッジのブリケットを加圧室外部の排出位置へ下降させる昇降手段と、上記排出位置にある上記スラッジのブリケットを水平方向へ押圧排出する水平排出手段とを備えてなり、上記昇降手段は、上記開閉蓋を開閉動作させる上記蓋開閉手段から構成される。
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】変更
【補正の内容】
【００３１】
（１２）上記昇降手段は、上記加圧室の底部を開閉可能に施蓋する開閉蓋を支持するとともに、この開閉蓋上に、上記フィルタ体を介して、固形化された上記スラッジのブリケットが載置支持される構造とされ、上記水平排出手段は、上記開閉蓋上に載置支持された上記スラッジのブリケットを押圧するブリケット排出用プッシャを支持するとともに、このブリケット排出用プッシャの上下端縁に、清掃用スクレーパがそれぞれ設けられ、上記水平排出手段による上記ブリケット排出用プッシャの水平往復動作により、前記清掃用スクレーパが前記加圧室の底部の施蓋接合部分および前記フィルタ体上面をそれぞれ清掃するように構成される。
【手続補正９】
【補正対象書類名】明細書
【補正対象項目名】００３２
【補正方法】削除
【補正の内容】